(57)【要約】【課題】人体から直接・間接に放射される輻射熱を利用して就寝時の体温を効果的に高めると共に、湿気がこもることを効果的に防げる輻射熱利用寝具を提供する。【解決手段】可撓性シート基材２１の片面側へアルミホイル等輻射熱に対して高反射率の素材からなる遮熱層２３を設けた遮熱シート２を、シート保持体３の第１〜第４アーチ型骨材３１Ａ〜３１Ｄのアーチに跨がるように広げて被せると、遮熱シート２が半円筒状の形態に保持された輻射熱利用寝具１を、敷き布団に寝た利用者の上側を覆うように配置すると、人体から輻射熱として失われた熱量が遮熱シート２で効率良く人体側に戻されて暖かくなると共に、遮熱シート２の遮熱面２ｂと横臥状態の人体との間に、頭部側開口４ａから足部側開口４ｂにかけて連通する通気空部４が生じるので、就寝時の発汗で人体から蒸散した湿気は自然通気で排除され、人体の回りに湿気がこもることを防げる。【選択図】図１
2019072164.tif 000002
【特許請求の範囲】
【請求項１】
可撓性シート基材の少なくとも片面側に、アルミホイル等輻射熱に対して高反射率の素材からなる遮熱層を備える遮熱シートを、少なくとも横臥状態の人体の上側に遮熱層を向けて配置することで、人体から直接・間接に放射される輻射熱を遮熱シートの遮熱層で反射させて人体側へ輻射熱を戻すようにしたことを特徴とする輻射熱利用寝具。
【請求項２】
前記遮熱シートの遮熱面と、横臥状態の人体との間には、人体の頭部側から足部側にかけて連通する通気空部が生ずるように、遮熱シートを所要形状に保持するシート保持体を備えることを特徴とする請求項１に記載の輻射熱利用寝具。
【請求項３】
前記シート保持体は、弧状のアーチ型骨材を人体の頭部側から足部にかけて複数配置し、遮熱シートを半円筒状に保持するようにしたことを特徴とする請求項２に記載の輻射熱利用寝具。
【請求項４】
前記遮熱シートとして、横臥状態の人体の上側に配置する上面遮熱シートと、横臥状態の人体の下に敷く下面遮熱シートとを用い、少なくとも上面遮熱シートの両側部と下面遮熱シートの両側部とを互いに連結することで、寝袋形状としたことを特徴とする請求項１に記載の輻射熱利用寝具。
【請求項５】
前記遮熱シートの可撓性シート基材における片面最外層には、任意の印刷や焼き付け加工等を施したプリント層を備えることを特徴とする請求項１〜請求項４の何れか１項に記載の輻射熱利用寝具。
【請求項６】
前記遮熱シートは、敷き布団、カーペット、こたつ敷き或いはこたつ掛けの遮熱カバーとして利用できるようにしたことを特徴とする請求項１〜請求項５の何れか１項に記載の輻射熱利用寝具。
【請求項７】
任意形状の嚢体内に、アルミホイル等輻射熱に対して高反射率の素材からなる遮熱材を備える遮熱体を、少なくとも横臥状態の人体の下に敷くことで、人体からの輻射熱を遮熱体の遮熱材で反射させて人体側へ輻射熱を戻すようにしたことを特徴とする輻射熱利用寝具。
【発明の詳細な説明】
【技術分野】
【０００１】
本発明は、人体から直接・間接に放射される輻射熱を利用して就寝時の体温を効果的に高める輻射熱利用寝具に関する。
【背景技術】
【０００２】
就寝時に用いる寝具として、綿布団や羽毛布団などが一般的に用いられているものの、室温が低い冬期には十分な保温効果を得られない場合もある。そこで、ポリエステル布帛の表面にチタンをスパッタリング加工することにより、４００Å程度のチタン膜を形成してなる寝具が提案されている（例えば、特許文献１を参照）。特許文献１に記載の寝具は、表面にチタンをスパッタリング加工した布帛の表面を使用者の身体側に置くようにすることで、エネルギーの吸収が大きく蓄熱性に優れたチタンの効果により、寝具の保温効果を高めることができる。
【０００３】
また、遠赤外線の透過・吸収率が低く、反射率が高いというアルミ箔の特性を利用した保温シートを寝具に敷いて用いることが提案されている（例えば、特許文献２を参照）。特許文献２に記載の保温シートは、ポリエステル等のクッション性を有する断熱層のからだ側にアルミ箔シートで構成される遠赤外線反射シートを設けると共に、遠赤外線反射シートと断熱層には多数の通気孔を形成したものである。この通気孔を形成しておくことで、こもる湿気を外部に放出させ、就寝中や着用時に蒸し暑さを感じないようにすることができる。
【先行技術文献】
【特許文献】
【０００４】
【特許文献１】特開２００４−８２２９号公報
【特許文献２】特開２００４−２６７６５９号公報
【発明の概要】
【発明が解決しようとする課題】
【０００５】
しかしながら、特許文献１に記載の寝具では、ポリエステル布帛の表面にチタン膜を形成するために、吸湿性あるいは排湿性が損なわれてしまい、湿気がこもって寝苦しくなる可能性が有る。よって、特許文献１に記載の寝具は、高い保温効果を実現できるとしても、吸湿性あるいは排湿性が損なわれるために湿気がこもり易く、必ずしも快適な睡眠を提供できる寝具とは言えない。
【０００６】
また、特許文献２に記載の保温シートの場合、十分な通気性を確保するためには、通気効果を得られる開口面積の通気孔を相当数設けておく必要があると考えられるが、通気孔を多数設けるということは、それだけ、遠赤外線反射シートにおけるアルミ箔の総面積が減ぜられることを意味する。そして、アルミ箔の総面積が少なくなれば、アルミ箔の特性による十分な保温効果を発揮できなくなるのである。すなわち、特許文献２に記載の保温シートでは、保温機能と除湿機能とがトレードオフの関係となるため、保温シート本来の保温性能を維持するためには、通気孔をあまり多くすることができず、こもる湿気を十分に外部に放出できない可能性がある。
【０００７】
そこで、本発明は、人体から直接・間接に放射される輻射熱を利用して就寝時の体温を効果的に高めると共に、湿気がこもることを効果的に防げる輻射熱利用寝具の提供を目的とする。
【課題を解決するための手段】
【０００８】
上記の課題を解決するために、請求項１に係る発明は、可撓性シート基材の少なくとも片面側に、アルミホイル等輻射熱に対して高反射率の素材からなる遮熱層を備える遮熱シートを、少なくとも横臥状態の人体の上側に遮熱層を向けて配置することで、人体から直接・間接に放射される輻射熱を遮熱シートの遮熱層で反射させて人体側へ輻射熱を戻すようにしたことを特徴とする輻射熱利用寝具である。
【０００９】
また、請求項２に係る発明は、前記請求項１に記載の輻射熱利用寝具において、前記遮熱シートの遮熱面と、横臥状態の人体との間には、人体の頭部側から足部側にかけて連通する通気空部が生ずるように、遮熱シートを所要形状に保持するシート保持体を備えることを特徴とする。
【００１０】
また、請求項３に係る発明は、前記請求項２に記載の輻射熱利用寝具において、前記シート保持体は、弧状のアーチ型骨材を人体の頭部側から足部にかけて複数配置し、遮熱シートを半円筒状に保持するようにしたことを特徴とする。
【００１１】
また、請求項４に係る発明は、前記請求項１に記載の輻射熱利用寝具において、前記遮熱シートとして、横臥状態の人体の上側に配置する上面遮熱シートと、横臥状態の人体の下に敷く下面遮熱シートとを用い、少なくとも上面遮熱シートの両側部と下面遮熱シートの両側部とを互いに連結することで、寝袋形状としたことを特徴とする。
【００１２】
また、請求項５に係る発明は、前記請求項１〜請求項４の何れか１項に記載の輻射熱利用寝具において、前記遮熱シートの可撓性シート基材における片面最外層には、任意の印刷や焼き付け加工等を施したプリント層を備えることを特徴とする。
【００１３】
また、請求項６に係る発明は、前記請求項１〜請求項５の何れか１項に記載の輻射熱利用寝具において、前記遮熱シートは、敷き布団、カーペット、こたつ敷き或いはこたつ掛けの遮熱カバーとして利用できるようにしたことを特徴とする。
【００１４】
また、請求項７に係る発明は、任意形状の嚢体内に、アルミホイル等輻射熱に対して高反射率の素材からなる遮熱材を備える遮熱体を、少なくとも横臥状態の人体の下に敷くことで、人体からの輻射熱を遮熱体の遮熱材で反射させて人体側へ輻射熱を戻すようにしたことを特徴とする輻射熱利用寝具である。
【発明の効果】
【００１５】
本発明に係る輻射熱利用寝具によれば、横臥状態の人体の上側に遮熱層を向けて遮熱シートを配置し、人体から直接・間接に放射される輻射熱を遮熱シートの遮熱層で反射させて人体側へ輻射熱を戻すので、就寝時の体温を効果的に高めると共に、湿気がこもることを効果的に防げる。
【図面の簡単な説明】
【００１６】
【図１】本発明に係る輻射熱利用寝具の第１実施形態を示し、（ａ）は敷き布団に横臥した人体の上側を覆うように輻射熱利用寝具を配置した状態の正面図、（ｂ）は図１（ａ）において遮熱シートの手前側を捲った状態の正面図、（ｃ）は頭部側の側面図、（ｄ）は図１（ｂ）におけるＩｄ領域の部分拡大図である。
【図２】本発明に係る輻射熱利用寝具の第２実施形態を示し、（ａ）は輻射熱利用寝具の組立説明図であり、（ｂ）は輻射熱利用寝具を利用した状態の外観説明図、（ｃ）は第２実施形態に係る輻射熱利用寝具の改変例を示す外観説明図である。
【図３】輻射熱利用寝具に用いる遮熱シートの利用例を示す説明図である。
【図４】本発明に係る輻射熱利用寝具の第３実施形態を示し、（ａ）は外観斜視図、（ｂ）は輻射熱利用寝具を敷いて利用者が横臥した状態の説明図、（ｃ）は収納体と遮熱体の概略断面図、（ｄ）は遮熱体利用寝具の折り畳み動作説明図、（ｅ）は第３実施形態に係る輻射熱利用寝具の改変例を示す外観斜視図、（ｆ）は改変例の遮熱体利用寝具の折り畳み動作説明図である。
【図５】本発明に係る輻射熱利用寝具の第４実施形態を示し、（ａ）は未使用時の平面図、（ｂ）は使用状態とした輻射熱利用寝具を敷いて利用者が横臥した状態の説明図、（ｃ）は気密シートと遮熱体の概略断面図である。
【図６】本発明に係る輻射熱利用寝具の第５実施形態を示し、（ａ）は空気を充填された使用状態の平面図、（ｂ）は使用状態とした輻射熱利用寝具を敷いて利用者が横臥した状態の説明図、（ｃ）は使用状態における収納領域の概略断面図、（ｄ）は空気を抜いた非使用状態における収納領域の概略断面図である。
【発明を実施するための形態】
【００１７】
以下、本発明に係る輻射熱利用寝具の実施形態を添付図面に基づいて詳細に説明する。
【００１８】
図１に示すのは、第１実施形態に係る輻射熱利用寝具１であり、遮熱シート２とシート保持体３により構成される。そして、この輻射熱利用寝具１は、横臥状態の人体（敷き布団の上に横たわった利用者）に直接当たるように上掛けするものではなく、人体と輻射熱利用寝具１との間に適宜な空間が生ずるように配置するものである。
【００１９】
上記遮熱シート２は、ゴム、ガラス、炭素或いはポリエステル等の化学繊維からなる可撓性シート基材２１の少なくとも片面側へ、ポリエチレン等の溶着層２２によって、アルミホイル等輻射熱に対して高反射率の素材からなる遮熱層２３を熱融着したものである。また、可撓性シート基材２１の他面側には、任意の印刷や焼き付け加工等を施したプリント層２４を設けてあり、このプリント層２４によって、室内環境にマッチした柄や模様等を付けておくことができる。この遮熱シート２においては、プリント層２４側の装飾面２ａが外向きとなり、遮熱層２３側の遮熱面２ｂが内向き（横臥状態の人体側に向けて配置される状態）となるように使用する。
【００２０】
遮熱シート２における遮熱層２３は、６〜１２〔μｍ〕程度のアルミホイル等で構成可能であるから、遮熱シート２全体の厚みは０．２〔ｍｍ〕程度と非常に薄く作ることができ、遮熱シート２は非常に軽量化できる。そして、比較的大判（例えば、１．８〔ｍ〕×１．８〔ｍ〕の略正方形）となる遮熱シート２を折り畳んで小さくしたり筒状に丸めたりすれば取り扱い易くなるので、軽量化と相まって、遮熱シート２は可搬性に優れたものとなる。また、遮熱シート２にプリント層２４を設ける必要が無い場合、可撓性シート基材２１の両側に遮熱層２３を設けておけば、遮熱シート２をリバーシブルで用いることが可能となる。さらに、遮熱シート２の四側縁部は剥き出しとせず、一定幅のテープ状の縁飾り等で四側縁部を覆っておけば、可撓性シート基材２１から遮熱層２３が剥離する等の不具合が生じることを抑制できる。
【００２１】
一方、上記シート保持体３は、例えば、半円弧状の第１アーチ型骨材３１Ａ、第２アーチ型骨材３１Ｂ、第３アーチ型骨材３１Ｃ、第４アーチ型骨材３１Ｄを、横臥状態の人体の頭部側（例えば、首付近）から足部（例えば、敷き布団よりも適宜外側となる位置）にかけてほぼ等距離間隔に配置したもので、第１〜第４アーチ型骨材３１Ａ〜３１Ｄのアーチに跨がるように広げた遮熱シート２を被せると、遮熱シート２は半円筒状の形態に保持されることとなる。そして、半円筒状に保持された遮熱シート２の遮熱面２ｂと、横臥状態の人体との間には、頭部側開口４ａから足部側開口４ｂにかけて連通する通気空部４が生ずる。このとき、適正位置に配置した遮熱シート２がシート保持体３からずれて大きな隙間が空いたり、シート保持体３から落ちたりしないように、適宜なシート固定手段（例えば、平板なマグネットシート等である着磁された固着板材３２）を設けておくことが望ましい。
【００２２】
上記第１〜第４アーチ型骨材３１Ａ〜３１Ｄは、軽量の中空パイプを複数連結して半円弧状にしたアーチ型パイプ３１１の両端部分に定置部３１２を設けた構造としてあり、アーチ型パイプ３１１が略鉛直面に沿った起立状態で、第１〜第４アーチ型骨材３１Ａ〜３１Ｄを畳や床等の寝具設置面に定置することができる。このとき、第１〜第４アーチ型骨材３１Ａ〜３１Ｄの配置間隔を一定にすると共に、第１〜第４アーチ型骨材３１Ａ〜３１Ｄが倒れ難くするように、第１アーチ型骨材３１Ａの定置部３１２近傍と第２アーチ型骨材３１Ｂの定置部３１２近傍を連結する第１連結部材３３Ａ、第２アーチ型骨材３１Ｂの定置部３１２近傍と第３アーチ型骨材３１Ｃの定置部３１２近傍を連結する第２連結部材３３Ｂ、第３アーチ型骨材３１Ｃの定置部３１２近傍と第４アーチ型骨材３１Ｄの定置部３１２近傍を連結する第３連結部材３３Ｃを用いても良い。そして、第１〜第３連結部材３３Ａ〜３３Ｃを着脱可能にすると共に、第１〜第４アーチ型骨材３１Ａ〜３１Ｄの各アーチ型パイプ３１１も複数の分割パーツに分離可能な構成としておけば、個々のパーツに分解することで、シート保持体３も持ち運びに適したものとなる。
【００２３】
また、第１〜第４アーチ型骨材３１Ａ〜３１Ｄにおける各定置部３１２の少なくとも外側（敷き布団に向いていない側）には、平坦な強磁性面を設けてあり、この強磁性面と固着板材３２との間に遮熱シート２を挟み込むようにすれば、遮熱シート２を固定することができ、固着板材３２を取り外せば、遮熱シート２の固定を解除できる。なお、シート固定手段としては、固着板材３２を用いるものに限らず、例えば、遮熱シート２の両サイドに適数設けた固着孔を、第１〜第４アーチ型骨材３１Ａ〜３１Ｄそれぞれの定置部３１２に設けた固着突片に引っかけて固定する構造でも良いし、第１〜第４アーチ型骨材３１Ａ〜３１Ｄそれぞれの定置部３１２に設けた鰐口クリップ等によって遮熱シート２の縁部を挟んで固定するような構造としても良い。
【００２４】
上述した第１実施形態に係る輻射熱利用寝具１は、敷き布団に寝た利用者の上側を覆うように配置して用いるが、人体と遮熱シート２の遮熱面２ｂとの間には適宜な空間である通気空部４が確保されているので、利用者が毛布や薄手の掛け布団などをかけて寝る場合でも、輻射熱利用寝具１が障害となることはない。そして、人体から直接放射される輻射熱あるいは人体によって暖まった毛布や掛け布団から間接放射される輻射熱は、半円筒状に配置された遮熱シート２の遮熱面２ｂに到達すると、この遮熱面２ｂにより大部分（例えば、９７％）が反射されて人体側に戻るので（例えば、図１（ｃ）を参照）、人体や毛布（あるいは掛け布団）に吸収されて熱となる。従って、人体や毛布等から輻射熱として失われた熱量が効率良く人体側に戻されるので、就寝時の体温を効果的に高めることができる。
【００２５】
加えて、就寝時の発汗で人体から蒸散した湿気は、通気空部４内に溜まることとなるが、通気空部４は頭部側開口４ａおよび足部側開口４ｂを介して外気と連通しているので、輻射熱利用寝具１を設置した部屋の室温よりも通気空部４内の温度が高まると、温度差による自然対流が生じて、通気空部４内の高温・高湿度の空気は低温低湿度の空気と入れ替わることとなる。すなわち、第１実施形態に係る輻射熱利用寝具１は、自然通気による除湿機能を発揮できるので、人体の回りに湿気がこもることを効果的に防ぎ、快適な睡眠を提供できる。しかも、湿気を含んだ暖かい空気は通気空部４内の高い位置に溜まってゆくので、人体よりも適宜離れた高い位置で気流が生じ易くなり、人体や毛布等の回りを包む暖気まで気流によって引き剥がされることを抑制できる。従って、輻射熱利用寝具１の利用者が自然通気によって寒い思いをすることも防げる。
【００２６】
なお、第１実施形態の輻射熱利用寝具１では、遮熱シート２を半円筒形状に保持できるシート保持体３を用いたが、これに限定されるものではなく、断面が略四角形状あるいは五角以上の多角形状とした半多角柱状に遮熱シート２を保持できるようなシート保持体を用いるようにしても良い。また、中空パイプのような軽量化素材ではなく、剛性の高い構造体により遮熱シート２を所要形状に保持することと併せて、地震等での落下物から人体を守れるような機能を付加しても良い。ただし、シート保持体３によって遮熱シート２を保持したときに形成される通気空部４が広くなり過ぎる（人体表面から遮熱シート２の遮熱面２ｂまでの距離が遠過ぎる）ようでは、遮熱シート２から人体側に戻せる輻射熱の量が減ってしまうし、逆に、通気空部４が狭過ぎる（人体表面から遮熱シート２の遮熱面２ｂまでの距離が近過ぎる）と、輻射熱利用寝具１の利用時に人が遮熱シート２の下に入ったり出たりすることが煩雑になる上、寝具利用者が就寝時に寝返りを打つことさえ困難になる可能性がある。すなわち、遮熱シート２の保持形状を決定するシート保持体３の構造は、輻射熱の効率的利用と寝具利用者の利便性を勘案して、通気空部４が好適なサイズ・形状となるように設定しておくことが望ましい。本実施形態に係る輻射熱利用寝具１のように、敷き布団の横幅程度を直径とする半円筒状に遮熱シート２を保持するサイズ・形状は理に適ったものである。
【００２７】
上記のように構成した第１実施形態の輻射熱利用寝具１は、一般家庭の寝室で使用できることは勿論、キャンプなどのアウトドアで使用したり、介護用ベッドを覆うように配置して用いたり、広い講堂など災害時の避難所で用いたりすることもできる。なお、第１実施形態に係る輻射熱利用寝具１は、ちょうど肩まで覆うような位置に遮熱シート２を配置する構造としたが、頭頂部まで完全に隠れるように遮熱シート２で覆う配置とし、就寝時のパーソナルスペースを遮熱シート２で完全に隠せるようにすると、災害時の避難所での利用に適したものとなる。
【００２８】
上述した第１実施形態の輻射熱利用寝具１は、好適な通気空部４を形成できるようにシート保持体３を用いて遮熱シート２の形状を保持できるようにしたものであるが、輻射熱利用寝具１を持ち運ぶ場合、遮熱シート２と併せてシート保持体３も運ばなければならず、シート保持体３を分離可能な軽量構造にしたとしても、やはり遮熱シート２の可搬性の高さには及ばない。そこで、シート保持体３を用いずに構成できる第２実施形態の輻射熱利用寝具について説明する。
【００２９】
図２に示すのは、第２実施形態に係る輻射熱利用寝具１′であり、これは、一対の遮熱シート２′を用いて寝袋形状としたものである。遮熱シート２′は、上述した第１実施形態の輻射熱利用寝具１における遮熱シート２と同様に、プリント層２４側である装飾面２ａと遮熱層２３側である遮熱面２ｂを備えるもので、その一側部（寝具利用時に頭部あるいは足部とならない二側部の一方）に雄型スナップボタン２５を適数設け、他側部に雌型スナップボタン２６を適数設けたものである。すなわち、一方の遮熱シート２′の雄型スナップボタン２５と他方の遮熱シート２′の雌型スナップボタン２６とが対向するように配置して各ボタンを閉じると、一対の遮熱シート２′の両側部を互いに連結することができ、寝袋形状となる。なお、一般的な寝袋は足部側を閉じて使うが、本実施形態に係る輻射熱利用寝具１′は、頭部側も足部側も開いており、寝具としての使用時には、どちらを頭側として使っても構わない。
【００３０】
輻射熱利用寝具１′の非使用時には、一対の遮熱シート２′がほぼ重なった平板状で、そのまま折り畳んだり丸めたりして、簡単に持ち運ぶことができる。無論、２枚の遮熱シート２′にバラして、個別に保管するようにしても構わない。また、輻射熱利用寝具１′を使用するときには、閉じられてない二側部の一方に頭を、他方に足を入れるように潜り込めば良い。このとき、人体の下側に配置される遮熱シート２′は、便宜上、下面遮熱シートとなり、人体の上側に配置される遮熱シート２′は、便宜上、上面遮熱シートとなる。なお、輻射熱利用寝具１′をアウトドア等で使う場合、下面遮熱シートは剥き出しの地面など冷たい凹凸面に接する可能性があるので、適宜なクッション性と断熱性を遮熱シート２′に付加できるよう、２〜５〔ｍｍ〕厚程度のウレタン素材を可撓性シート基材２１として用いても良い。
【００３１】
上記のように構成した輻射熱利用寝具１′を利用するとき、アルミホイル等輻射熱に対して高反射率の素材からなる遮熱層２３を備える遮熱シート２′は、毛布や掛け布団のように人体表面へ柔らかく纏わり付くようなことはなく、例えば、足先や胸元など、人体の突出した部分に当たって多少折れ曲がる程度であるから、その隙間として、頭部側開口４ａから側部側開口４ｂにかけて連通する通気空部４が形成される。そして、この通気空部４により、輻射熱利用寝具１′の利用者が就寝時に発汗しても、内部に湿気が篭もって蒸し暑くなることを効果的に防げる。無論、遮熱シート２′の遮熱面２ｂにより人体側へ効率良く輻射熱を戻せるので、就寝時の体温を効果的に高める機能も発揮できる。
【００３２】
上述した輻射熱利用寝具１′は、上面遮熱シートおよび下面遮熱シートとして共通の遮熱シート２′を用いるものとしたが、これらを別々に構成しても良い。例えば、図２（ｃ）に示す輻射熱利用寝具１″は、上面遮熱シート２−１と下面遮熱シート２−２の両側部を連結して寝袋形状とするものであるが、下面遮熱シート２−２の上縁側は上面遮熱シート２−１の上縁側よりも適宜長くなるように形成しておくことで、寝具利用者の頭部まで下面遮熱シート２−２を敷けるようにしたものである。また、上面遮熱シート２−１の両側部と下面遮熱シート２−２の両側部を連結する構造は別々に設けておくことができるので、連結構造の自由度を高めることができる。例えば、この輻射熱利用寝具１″においては、線ファスナー２７によって上面遮熱シート２−１と下面遮熱シート２−２を着脱可能な構造とした。
【００３３】
以上説明した輻射熱利用寝具１の遮熱シート２は、寝具として用いない場合、折り畳んだり丸めたりして、場所をとらずに収納しておくことができるものの、遮熱カバーとして有効利用することも可能である。例えば、図３に示すように、こたつ５０のこたつ布団５１と上掛け５２との間に遮熱シート２をかけておくことで、遮熱カバーとして利用できる。また、遮熱シート２をこたつ敷き５３の下側に敷く遮熱カバーとして利用できる。あるいは、フローリング面Ｆとカーペット６０との間に複数枚の遮熱シート２を並べて敷けば、広い面に対応した遮熱カバーとして利用できる。
【００３４】
次に、横臥状態の人体の下に敷いて用いる輻射熱利用寝具について説明する。
【００３５】
図４に示すのは、第３実施形態に係る輻射熱利用寝具１００であり、折り畳み可能なクッションマット状に構成したものである。すなわち、輻射熱利用寝具１００は、嚢体たる収納体１１０を構成する第１収納部１１１ａ、第２収納部１１１ｂ、第３収納部１１１ｃ、第３収納部１１１ｄのそれぞれに扁平な略四角板状の遮熱体１２０を収納したものであり、第１〜第４収納部１１１ａ〜１１１ｄを一列状に広げて敷けば、寝具利用者が横たわれるクッションマットとなり、人体からの輻射熱を遮熱体１２０で反射させて人体側へ戻すのである。
【００３６】
上記遮熱体１２０は、例えばクッション性の高い発泡ウレタン等を可撓性シート基材１２１とし、その両面へ、ポリエチレン等の溶着層１２２によって、アルミホイル等輻射熱に対して高反射率の素材からなる遮熱層１２３を熱融着したものである。なお、輻射熱利用寝具１００を一般的なシングルマットと同程度の２００〔ｃｍ〕×１００〔ｃｍ〕に形成する場合、各遮熱体１２０は５０〔ｃｍ〕×１００〔ｃｍ〕と大型になるが、各遮熱体１２０の厚みを５〜６〔ｍｍ〕程度にしておけば、輻射熱利用寝具１００の持ち運びに負担を感じない程度の軽量化が可能である。また、遮熱体１２０は、両面に遮熱層１２０を設けてあるので、輻射熱利用寝具１００のどちらの面を上側に使っても遮熱効果がある。
【００３７】
上記収納体１１０は、例えば、布（薄い布でも、帆布のような厚手の生地でも良い）を縫い合わせて遮熱体１２０を収納できる内空状の第１〜第４収納部１１１ａ〜１１１ｄを作り、第１収納部１１１ａと第２収納部１１１ｂを第１連結部１１２ａにより連結し、第２収納部１１１ｂと第３収納部１１１ｃを第２連結部１１２ｂにより連結し、第３収納部１１１ｃと第４収納部１１１ｄを第３連結部１１２ｃにより連結したものである。このとき、第１連結部１１２ａと第３連結部１１２ｃを同じ側（図４（ａ），（ｂ）においては下面側）に設けると共に、第２連結部１１２ｂは反対側（図４（ａ），（ｂ）においては上面側）に設けることで、第１〜第４収納部１１１ａ〜１１１ｄに収納された各遮熱体１２０を重ねるように折り畳むことができる（例えば、図４（ｄ）を参照）。折り畳んだ状態の輻射熱利用寝具１００は、椅子（例えば、座面の硬いベンチ１３０）等に敷くクッションとして使うこともできる。また、収納体１１０の外表面に防水加工を施しておくと、屋外での利用に適したものとなる。
【００３８】
上述した第３実施形態に係る輻射熱利用寝具１００は、広げると所要の大きさとなるので、そのまま寝具として使えるものの、折り畳んだ状態でもそれなりの大きさがあり、可搬性が高いとは言えない。そこで、ポケットサイズにすることで、可搬性を高められるようにした輻射熱利用寝具１００′を図４（ｅ），（ｆ）に示す。
【００３９】
この輻射熱利用寝具１００′も、嚢体たる収納体１１０′を構成する第１収納部１１１ａ、第２収納部１１１ｂ、第３収納部１１１ｃ、第３収納部１１１ｄのそれぞれに扁平な略四角板状の遮熱体１２０を収納したものであり、例えば、第１収納部１１１ａと第２，第４収納部１１１ｂ，１１１ｄが隣接するように第１〜第４収納部１１１ａ〜１１１ｄを田の字状に広げると（例えば、図４（ｅ）を参照）、寝具利用者の下側に敷くことができる大きさ（例えば、一辺が２０〔ｃｍ〕〜３０〔ｃｍ〕の略四角形状）のクッションマットとなり、人体からの輻射熱を遮熱体１２０で反射させて人体側へ戻すのである。
【００４０】
上記収納体１１０′は、例えば、防水性のある素材（例えば、ポリ塩化ビニル等の樹脂素材や防水処理を施した布等）で遮熱体１２０を収納できる内空状の第１〜第４収納部１１１ａ〜１１１ｄを作り、第１収納部１１１ａと第２収納部１１１ｂを第１連結部１１２ａにより連結し、第２収納部１１１ｂと第３収納部１１１ｃを第２連結部１１２ｂにより連結し、第３収納部１１１ｃと第４収納部１１１ｄを第３連結部１１２ｃにより連結したものである。なお、第１収納部１１１ａと第４収納部１１１ｄは連結していないので、面ファスナーなどの固定手段で第１収納部１１１ａと第４収納部１１１ｄを連結し、第１〜第４収納部１１１ａ〜１１１ｄが田の字状に保持されるようにしても良い。
【００４１】
上記収納体１１０′における第１連結部１１２ａと第３連結部１１２ｃを同じ側（図４（ｅ）においては上面側）に設けると共に、第２連結部１１２ｂは反対側（図４（ｅ）においては下面側）に設けることで、第１〜第４収納部１１１ａ〜１１１ｄに収納された各遮熱体１２０を重ねるように折り畳むことができる（例えば、図４（ｆ）を参照）。なお、第１〜第４収納部１１１ａ〜１１１ｄの折り畳み手法はこれに限らず、例えば、ハンカチを折り畳むように縦折りと横折りで畳めるようにしても良い。これら第１〜第４収納部１１１ａ〜１１１ｄは、それぞれ一辺が概ね１０〔ｃｍ〕〜１５〔ｃｍ〕程度で、厚さが５〜６〔ｍｍ〕程度の遮熱体１２０を収納してあるので、折り畳むと、ハンドバッグや上着のポケット等に入るコンパクトサイズとなる。
【００４２】
そして、田の字状に広げた輻射熱利用寝具１００′を複数用意しておき、面ファスナー等の連結手段によって複数の輻射熱利用寝具１００′を縦横に適宜連結すれば、人体が横たわれる大きさにして使うことができる。なお、輻射熱利用寝具１００′単体でも、腰・背中・肩・足下などの必要部位にのみ敷いて用いることができるし、硬い座面などに敷くクッションとしても用いることができる。また、輻射熱利用寝具１００′の収納体１１０′は防水性が高いので、輻射熱利用寝具１００′を湿った地面などに敷いて使うことができ、アウトドアでの利用に適している。
【００４３】
図５に示すのは、膨縮可能なエアマット状に構成した第４実施形態に係る輻射熱利用寝具２００であり、空気を入れて膨らませたり空気を抜いて平坦な状態に戻したりできる収納体２１０の内部に複数の遮熱体２２０を収納したものである。
【００４４】
上記収納体２１０は、機密性の高い素材（例えば、軟質ＰＶＣ樹脂など）でできた略長方形の第１気密シート２１１と第２気密シート２１２を重ねて、四側縁部を密着（例えば、熱融着）させた辺縁密着部２１３を形成すると共に、収納体２１０の長手方向（以下、これを縦方向という）に第１縦密着部２１４ａと第２縦密着部２１４ｂと第３縦密着部２１４ｃと第４縦密着部２１４ｄを不連続で形成し、第１縦密着部２１４ａと第２縦密着部２１４ｂとの間の短手方向（以下、これを横方向という）に第１横密着部２１５ａと第２横密着部２１５ｂを不連続で形成し、第２縦密着部２１４ｂと第３縦密着部２１４ｃとの間の横方向に第３横密着部２１５ｃと第４横密着部２１５ｄを不連続で形成し、第３縦密着部２１４ｃと第４縦密着部２１４ｄとの間の横方向に第５横密着部２１５ｅと第６横密着部２１５ｆを不連続で形成する。
【００４５】
上記のように各種密着部を形成した収納体２１０には、略四角形で平板状の遮熱体２２０をそれぞれ収納できる８つの領域が形成される。具体的には、辺縁密着部２１３と第１縦密着部２１４ａと第１横密着部２１５ａとで囲まれた第１収納領域２１６ａ、辺縁密着部２１３と第１横密着部２１５ａと第２縦密着部２１４ｂと第３横密着部２１５ｃとで囲まれた第２収納領域２１６ｂ、辺縁密着部２１３と第３横密着部２１５ｃと第３縦密着部２１４ｃと第５横密着部２１５ｅとで囲まれた第３収納領域２１６ｃ、辺縁密着部２１３と第５横密着部２１５ｅと第４縦密着部２１４ｄとで囲まれた第４収納領域２１６ｄ、辺縁密着部２１３と第１縦密着部２１４ａと第２横密着部２１５ｂとで囲まれた第４収納領域２１６ｅ、辺縁密着部２１３と第２横密着部２１５ｂと第２縦密着部２１４ｂと第４横密着部２１５ｄとで囲まれた第６収納領域２１６ｆ、辺縁密着部２１３と第４横密着部２１５ｄと第３縦密着部２１４ｃと第６横密着部２１５ｆとで囲まれた第７収納領域２１６ｇ、辺縁密着部２１３と第６横密着部２１５ｆと第４縦密着部２１４ｄとで囲まれた第８収納領域２１６ｈである。
【００４６】
上記収納体２１０に形成した第１〜第８収納領域２１６ａ〜２１６ｈは、完全には区画されておらず、各密着部の間に生じた空隙を介して連通しているので、吸排気部２１７から収納体２１０内に空気を入れると、第１〜第８収納領域２１６ａ〜２１６ｈの全領域を膨らませることができる。
【００４７】
上記遮熱体２２０は、例えば、四つ角を弧状に面取りした略四角形状の平板な遮熱シート２２１と、遮熱シート２２１の四側縁を囲む額縁状に形成された縁部ガード体２２２から成る。遮熱シート２２１は、不織布等からなる可撓性シート基材２２１ａの両面にアルミホイル等輻射熱に対して高反射率の素材からなる遮熱層２２１ｂを形成したもので、０．２〔ｍｍ〕程度の厚さである。縁部ガード体２２２は、収納体２１０の内部を傷つけるような先鋭部が生じないように、外側面が半円弧状となる弧状摺動面２２２ａとする。なお、遮熱体２２０が収納体２１０内を低摩擦で摺動できるようにするため、縁部ガード体２２２を低摩擦の素材（例えば、ポリアセタール、ポリアミド、ポリテトラフルオロエチレン等）で形成するか、あるいは弧状摺動面２２２ａを低摩擦材料でコーティングする。また、各遮熱体２２０は、空気を抜いた収納体２１０における第１〜第８収納領域２１６ａ〜２１６ｈよりも一回り小さいが（図５（ａ）を参照）、収納体２１０内に空気を入れて第１〜第８収納領域２１６ａ〜２１６ｈが膨らんだときには、各領域を区画する各密着部の間にちょうど収まる大きさである（図５（ｂ），（ｃ）を参照）。
【００４８】
上記のように構成した輻射熱利用寝具２００は、不使用時に第１縦密着部２１４ａ〜第４縦密着部２１４ｄおよび第１横密着部２１５ａ〜第８横密着部２１５ｆに沿って折り畳むことで、ほぼ遮熱体２２０の大きさにして収納することができる。また、遮熱シート２２０も極めて薄く形成してあるので、折り畳んだ輻射熱利用寝具２００全体の厚みも非常に薄くでき、可搬性に優れたものとなる。
【００４９】
一方、輻射熱利用寝具２００を使用するときには、吸排気部２１７から収納体２１０内へ給気することで、第１〜第８収納領域２１６ａ〜２１６ｈを均等に膨らませる。このとき、第１気密シート２１１と第２気密シート２１２は内部に空気が入ることで上下方向へ互いに離れ、その分だけ縦横が縮んでゆくこととなり、第１〜第８収納領域２１６ａ〜２１６ｈの各領域もそれぞれ縦横に縮んでゆく。このとき、第１〜第８収納領域２１６ａ〜２１６ｈ内に収納されている各遮熱体２２０は、第１〜第８収納領域２１６ａ〜２１６ｈの収縮に追随して収縮することはないが、第１〜第８収納領域２１６ａ〜２１６ｈ内で自由に動けるので、遮熱体２２０が置かれている底部が縦横に縮んだら、縦横方向に広い空間のある上方へと移動する。特に、遮熱体２２０の縁部ガード体２２２には弧状摺動面２２２ａを形成してあるので、遮熱体２２０が第１〜第８収納領域２１６ａ〜２１６ｈの内面に引っかかって動かなくなるような不具合は生じ難く、膨張時に縦横が最も広い状態となっている各密着部が位置する平面上（第１〜第８収納領域２１６ａ〜２１６ｈにおける上下方向のほぼ中央：図５（ｃ）を参照）に収まることとなる。
【００５０】
したがって、第１〜第８収納領域２１６ａ〜２１６ｈを膨らませたとき、遮熱体２２０と第１気密シート２１１との間に生じる上側空気貯留部２１８ａと、遮熱体２２０と第２気密シート２１２との間に生じる下側空気貯留部２１８ｂとが、ほぼ均等となり、第１気密シート２１１を下向きにして使っても、第２気密シート２１２を下向きにして使っても、輻射熱利用寝具２００上に横たわった人体からの輻射熱を遮熱体２２０で反射させて人体側へ戻すことができる。
【００５１】
上述した第４実施形態に係る輻射熱利用寝具２００は、上下リバーシブルで使用できる反面、遮熱体２２０に縁部ガード体２２２を設ける必要があるために高コストになってしまう。そこで、低コストで製造できる膨縮可能なエアマット状に構成した輻射熱利用寝具を、図６に示す第５実施形態に基づき説明する。
【００５２】
第５実施形態に係る輻射熱利用寝具３００は、空気を入れて膨らませたり、空気を抜いて平坦な状態に戻したりできる収納体３１０の内部に複数の遮熱体３２０を収納したものである。
【００５３】
上記収納体３１０は、機密性の高い素材（例えば、軟質ＰＶＣ樹脂など）でできた略長方形で８つの膨出領域が形成された第１気密シート３１１と、略長方形で平坦な第２気密シート３１２を重ねて、四側縁部を密着（例えば、熱融着）させた辺縁密着部３１３を形成すると共に、収納体３１０の長手方向（以下、これを縦方向という）に第１縦密着部３１４ａと第２縦密着部３１４ｂと第３縦密着部３１４ｃと第４縦密着部３１４ｄを不連続で形成し、第１縦密着部３１４ａと第２縦密着部３１４ｂとの間の短手方向（以下、これを横方向という）に第１横密着部３１５ａと第２横密着部３１５ｂを不連続で形成し、第２縦密着部３１４ｂと第３縦密着部３１４ｃとの間の横方向に第３横密着部３１５ｃと第４横密着部３１５ｄを不連続で形成し、第３縦密着部３１４ｃと第４縦密着部３１４ｄとの間の横方向に第５横密着部３１５ｅと第６横密着部３１５ｆを不連続で形成する。
【００５４】
上記のように各種密着部を形成した収納体３１０は、第１気密シート３１１に形成した８つの膨出領域が各密着部で区画される。具体的には、辺縁密着部３１３と第１縦密着部３１４ａと第１横密着部３１５ａとで囲まれた第１膨出領域３１６ａ、辺縁密着部３１３と第１横密着部３１５ａと第２縦密着部３１４ｂと第３横密着部３１５ｃとで囲まれた第２膨出領域３１６ｂ、辺縁密着部３１３と第３横密着部３１５ｃと第３縦密着部３１４ｃと第５横密着部３１５ｅとで囲まれた第３膨出領域３１６ｃ、辺縁密着部３１３と第５横密着部３１５ｅと第４縦密着部３１４ｄとで囲まれた第４膨出領域３１６ｄ、辺縁密着部３１３と第１縦密着部３１４ａと第２横密着部３１５ｂとで囲まれた第４膨出領域３１６ｅ、辺縁密着部３１３と第２横密着部３１５ｂと第２縦密着部３１４ｂと第４横密着部３１５ｄとで囲まれた第６膨出領域３１６ｆ、辺縁密着部３１３と第４横密着部３１５ｄと第３縦密着部３１４ｃと第６横密着部３１５ｆとで囲まれた第７膨出領域３１６ｇ、辺縁密着部３１３と第６横密着部３１５ｆと第４縦密着部３１４ｄとで囲まれた第８膨出領域３１６ｈである。
【００５５】
上記収納体３１０に設けた第１〜第８膨出領域３１６ａ〜２１６ｈは、必要十分な空気が封入されて膨らんでいるとき、何れも扁平な四角錘台形状であり、錘台の上底となる平坦面に寝具利用者が横たわることができる（図６（ｂ）を参照）。一方、第１〜第８膨出領域３１６ａ〜２１６ｈにおける錘台の下底となる平坦面（第１〜第８膨出領域３１６ａ〜２１６ｈにそれぞれ対応する第２気密シート３１２の内面）には、それぞれ略四角形状の遮熱体３２０を設ける。
【００５６】
上記遮熱体３２０は、第１〜第８膨出領域３１６ａ〜２１６ｈに対応する第２気密シート３１２の内面（図６（ｂ）〜（ｄ）においては上面）に、アルミホイル等の遮熱シート３２１をそれぞれ貼着することで構成したが、この構成に限らない。例えば、不織布や樹脂フィルムをシート基材として片面にアルミホイル等輻射熱に対して高反射率の素材からなる遮熱層を形成することで遮熱体を構成し、遮熱層が外表面となるように第２気密シート３１２の内面にそれぞれ取り付けるようにしても良い。何れにしても、遮熱体３２０は廉価に設けることができ、遮熱体利用寝具３００のコストを低減できる。
【００５７】
上記のように構成した輻射熱利用寝具３００を使用するとき、吸排気部３１７から収納体３１０内へ給気する。これにより、第１〜第８収納領域２１６ａ〜２１６ｈ本来の扁平な四角錘台形状が保持され、エアクッションとして機能する（図６（ｃ）を参照）。また、輻射熱利用寝具３００上に横たわった人体からの輻射熱を遮熱体３２０で反射させて人体側へ戻すことができる。
【００５８】
また、輻射熱利用寝具３００を使用しないときは、収納体３１０内から空気を抜く。これにより、第１気密シート３１１の膨出部が自重で潰れて、第１〜第８膨出領域３１６ａ〜２１６ｈ本来の扁平な四角錘台形状が維持できなくなり、第２気密シート３１２上へ重なるようにしぼむので、第１気密シート３１１側も平坦に近い薄さとなる（図６（ｄ）を参照）。よって、輻射熱利用寝具３００を各密着部に沿って折り畳むと、嵩張らない大きさとなり、収納に適したものとなる。
【００５９】
以上、本発明に係る輻射熱利用寝具の実施形態を添付図面に基づいて説明したが、本発明は、これらの実施形態に限定されるものではなく、特許請求の範囲に記載の構成を変更しない範囲で、公知既存の等価な技術手段を転用することにより実施しても構わない。
【符号の説明】
【００６０】
１    輻射熱利用寝具（第１実施形態）
２    遮熱シート
２１  可撓性シート基材
２３  遮熱層
３    シート保持体
４    通気空部
４ａ  頭部側開口
４ｂ  側部側開口
【図１】
2019072164.tif 000003
【図２】
2019072164.tif 000004
【図３】
2019072164.tif 000005
【図４】
2019072164.tif 000006
【図５】
2019072164.tif 000007
【図６】
2019072164.tif 000008
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
可撓性シート基材の少なくとも片面側に、アルミホイル等輻射熱に対して高反射率の表材からなる遮熱層を備える遮熱シートを、少なくとも横臥状態の人体の上側に遮熱層を向けて配置することで、人体から直接・間接に放射される輻射熱を遮熱シートの遮熱層で反射させて、人体側へ輻射熱を戻すようにし、
前記遮熱シートの遮熱面と、横臥状態の人体との間には、人体の頭部側から足部側にかけて連通する通気空部が生ずるように、前記遮熱シートを所要形状に保持するシート保持体を備えることを特徴とする輻射熱利用寝具。
【請求項２】
前記シート保持体は、弧状のアーチ型骨材を人体の頭部側から足部側にかけて複数配置し、前記遮熱シートを半円筒状に保持するようにしたことを特徴とする請求項１に記載の輻射熱利用寝具。
【請求項３】
前記遮熱シートの可撓性シート基材における片面最外層には、任意の印刷や焼き付け加工等を施したプリント層を備えることを特徴とする請求項１又は請求項２に記載の輻射熱利用寝具。
【請求項４】
可撓性シート基材の少なくとも片面側に、アルミホイル等輻射熱に対して高反射率の表材からなる遮熱層を備える遮熱シートを、少なくとも横臥状態の人体の下側に遮熱層を向けて配置することで、人体から直接・間接に放射される輻射熱を遮熱シートの遮熱層で反射させて、人体側へ輻射熱を戻すようにした輻射熱利用寝具であって、
第一気密シートと第二気密シートとが重ね合わされて形成された任意形状の嚢体と、この嚢体に設けられた吸排気部とを有し、
前記嚢体内に、前記第一気密シートと前記第二気密シートとが密着されることで形成された密着部によって区画された収納領域を複数備え、
前記遮熱シートが、前記収納領域に収容されているとともに、前記吸排気部から前記収納領域に空気を入れたときに、前記遮熱層よりも上側に第一空気貯留部が形成されることを特徴とする輻射熱利用寝具。
【請求項５】
前記吸排気部から前記収納領域に空気を入れたときに、前記遮熱シートの下側に、第二空気貯留部が形成される、
ことを特徴とする請求項４に記載の輻射熱利用寝具。